(57)【要約】【課題】  一般健常者が起立した状態でも履きやすく、且つ介護が必要な老人若しくは病人又は子供等であっても容易に履くことができる靴下を提供する。【解決手段】  全体が内布３及び外布２からなる二重構造の靴下１であって、該外布２が該内布３の全体を覆う袋状にて該内布３及び該外布２の挿入口部４を縫着して二重構造をなし、据え置き時に該挿入口部４が開口状態を維持し、且つ該挿入口部４から踵部５にかけて立体的な筒型状に自立して形成されてなる。【選択図】図１
2009114563.tif 000002
【特許請求の範囲】
【請求項１】
全体が内布及び外布からなる二重構造の靴下であって、該外布が該内布の全体を覆う袋状にて、該内布及び該外布の挿入口部を縫着して二重構造をなし、据え置き時に該挿入口部が開口状態を維持し、且つ該挿入口部から踵部にかけて立体的な筒型状に自立して形成されてなることを特徴とする靴下。
【請求項２】
前記二重構造の間隙に、踵部から中足部、前足部にかけて靴下の足底部の長手方向軸に交差して棒状弾性体を複数設けたことを特徴とする請求項１に記載の靴下。
【発明の詳細な説明】
【技術分野】
【０００１】
本発明は、一般健常者が起立した状態でも履きやすく、且つ介護が必要な老人若しくは病人又は子供等であっても容易に履くことができる靴下に関する。
【背景技術】
【０００２】
従来、一般的に市販されている靴下は、例え健常者であっても起立した状態では、靴下を履く際に片足を上げることからバランスを崩すために履くのは困難であり、また、体が不自由で介護が必要な老人若しくは病人又は成長過程にある子供等にとっては尚更、自分で履くのは困難であった。さらに、介護が必要な老人若しくは病人又は子供に対して介護者又は保護者が靴下を履かせる際には、靴下の挿入口に老人等の爪先を適切に挿入することができなかったり、老人等の踵と靴下の踵部との位置がずれたりするという不都合があった。そこで、下記のような靴下が提供されている。
【０００３】
例えば、全体の側面をほぼ直線状となすとともに、連続した筒状に編成して一部を折り返すことにより少なくとも踵及び足首を包み込む部位を含んでそれよりも後半部分を内外の二重構造とし、二重構造部分は少なくとも１本の表糸をシンカー乗せ編みにて編成するとともに、裏糸としてゴム糸又はカバーリングヤーンをコース方向に１目ないし３目飛ばしながら編み込んで構成することにより、簡単に履いたり脱いだりでき、寝たきりの老人や病人等、介護を必要とするような人にとって使いやすい靴下が提供されている（特許文献１）。
【特許文献１】特開２００２−３０９４０３号公報
【発明の開示】
【発明が解決しようとする課題】
【０００４】
しかしながら、特許文献１に記載の技術では、靴下の踵部と装着者の踵との位置調整をする必要がないものの、靴下の挿入口部をわざわざ開口しなければならないことから、一般健常者であっても起立した状態では履き難く、また、非力な老人又は子供等にとっては、靴下の挿入口部を自ら開口して、開口状態を維持したまま爪先を挿入するのは困難であり、履き難いという問題があった。
【課題を解決するための手段】
【０００５】
上記課題を解決するために、本発明は次のように構成した。すなわち、本発明に係る靴下は、全体が内布及び外布からなる二重構造の靴下であって、該外布が該内布の全体を覆う袋状にて、該内布及び該外布の挿入口部を縫着して二重構造をなし、据え置き時に該挿入口部が開口状態を維持し、且つ該挿入口部から踵部にかけて立体的な筒型状に自立して形成されてなることを特徴とする。
【発明の効果】
【０００６】
本発明に係る靴下によれば、挿入口部が上方向に開口した状態で維持されるとともに、踵部から挿入口部にかけて立体的な筒型状に自立して形成されるために、当該挿入口部へ装着者の爪先を容易に挿入させることができ、且つ踵の位置調整をする必要もないことから、一般健常者は、起立した状態でも容易に靴下を履くことができる。また同様に、本発明に係る靴下によれば、介護が必要な老人若しくは病人又は子供であっても容易に履くことができ、また、当該老人等に対して介護者又は保護者は容易に履かせることができる。
【発明を実施するための最良の形態】
【０００７】
以下、図面に基づいて本発明を具体的に説明する。ここでは、スニーカーソックス等、短靴下に形成された本発明に係る靴下１について説明する。図１は、本発明に係る靴下１の外観斜視図である。本発明に係る靴下１は、外布２及び内布３から構成され、挿入口部４が開口状態で維持される。外布２は、審美性に優れた布等で構成され、内布３は、保温保湿及び吸水性に優れ、肌触りの良い布、例えば遠赤外線放射布等で構成される。なお、外布２及び内布３は何れも、従来の靴下が持つ伸縮性を有していることは言うまでもない。
【０００８】
外布２及び内布３は、同一の靴下形状に形成されており、内布３を外布２に内包させた状態で外布２及び外布３の挿入口部４が縫着されている。これにより、靴下１は、外布２が内布３の全体を覆う袋状に構成された二重構造の靴下に形成される。二重構造に構成された靴下１は、外布２及び内布３の内接面が互いの摩擦力で支え合うことにより、また、外布２及び内布３の形状が夫々湾曲等、変形することで外布２及び内布３の間隙に空間が形成されることにより、外布３及び内布３の肌触りや伸縮性を保持したままであっても、挿入口部４を開口状態で維持することができるとともに、据え置いた状態でも萎えることなく挿入口部４から踵部５にかけて立体的な筒型状に自立して維持することができる。
【０００９】
また、外布２及び内布３の間隙において、下記他の実施例で説明するような多様な構成を採用することにより、靴下１に様々な機能を付加することができるとともに、外布２及び内布３の素材を夫々変更することにより、機能の多様化を図ることができる。
【００１０】
図２は、本発明に係る靴下を展開した図である。本発明に係る靴下１の製造する際には、靴下形状の外布２及び内布３の夫々の挿入口部４を合わせるように縫着し、ブーメラン型の筒状体を形成させる。そして、外布２と縫着された内布３を外布２の内部に内包するように折り返して挿入することにより、外布２及び内布３が内接した二重構造の靴下１が形成される。
【００１１】
このように本発明に係る靴下１の製造工程は、非常に簡易なものであることから、量産可能であってコスト面においても優れている。
【００１２】
図３は、本願発明に係る靴下１の使用状態を示す図である。一般健常者は、起立した状態から、据え置かれた靴下１の挿入口部４を把持することなく開口状態を維持した挿入口部４へと爪先を挿入し、挿入口部４から踵部５にかけて立体的な筒型状で自立した空間に足背の中間程度までを挿入する。そして、両手又は片手で該挿入口部４を把持しながら、爪先を靴下１の内部に押込むように足底を内布３に滑らせることにより、起立した状態のままであっても靴下１を履くことができる。これは、靴下を履くというよりも、靴を履く動作に近い。
【００１３】
また、介護が必要な老人若しくは病人又は成長過程の子供は、着座した状態から、上記一般健常者と同様に、据え置かれた靴下１の挿入口部４を把持することなく挿入口部４へと爪先を挿入し、挿入口部４から踵部５にかけて足背の中間程度までを挿入した後、両手又は片手で該挿入口部４を把持しながら、爪先を靴下１の内部に押込むように足底を内布３に滑らせることにより、容易に靴下１を履くことができる。また、比較的症状の軽い老人等又は自分で靴下１を履ける程度に成長した子供であれば、該靴下１を起立状態であっても容易に履くことができる。
【００１４】
さらに、介護が必要な老人若しくは病人又は成長過程の子供に対して、その介護者又は保護者は、靴下１の開口状態を維持した挿入口部４を該老人等の爪先に挿入し、踵の位置等を調節することなく容易に靴下１を履かせることができる。また、上記一般健常者の使用例において、当該老人等の足背を中間程度に靴下１への挿入した後に、介護者又は保護者が両手又は片手で挿入口部４を把持しながら靴下１を引張すれば、介護者又は保護者は、当該老人等が起立した状態であっても靴下１を当該老人等に容易に履かせることができる。
【００１５】
すなわち、二重構造により靴下１の挿入口部４が開口状態を維持しているので、わざわざ靴下１の挿入口部４を開く必要はなく、また、靴下１の挿入口部４から踵部５にかけて立体的な筒型状に自立して維持されることから、靴下１の踵部４と装着者の踵との位置調整をする必要もなく、容易にスムーズに履くことができる。なお、内布３を遠赤外線放射布で構成した場合には、血行促進による疲労回復効果も得ることができる。
【００１６】
また、図４に示したように、外布２及び外布３からなる二重構造の間隙に、踵部から中足部、前足部にかけて靴下１の足底部分の長手方向軸に交差して棒状弾性体６を複数設けてもよい。当該棒状弾性体６の内、踵部及び前足部に配された棒状弾性体６は、該方向軸に対して該棒状弾性体６の腓骨側先端を頚骨側先端より前足部側へ傾斜して設けられ、中足部に配された棒状弾性体６は、踵部側から順番に長手方向軸に対し略直交する方向、頚骨側先端を腓骨側先端より前足部側へ傾斜する方向へと設けられる。
【００１７】
棒状弾性体６は、天然又は合成ゴム、発泡樹脂等の弾性素材から構成され、靴下１の外布２及び内布３の間隙に接着又は縫着等して設けられる。
【００１８】
これにより、該棒状弾性体６を設けた靴下１を装着して歩行すれば、外布２及び内布３の間隙の足底部に設けられた棒状弾性体６間の外布２及び内布３が順次湾曲し、ねじれる動作を発生させることから、歩行時に足の踵に掛かった力を正しく重心移動させるべく誘導することができる。すなわち、専門家等の指導を仰ぐことなく、自然と日々の歩行において正しい重心移動を実現することができる。
【００１９】
また、上記実施例に係る靴下１の内布３を、装着時に足の各指が夫々個別に差し入れられるように、その足先部分を五股に構成してもよい。これにより、装着時に水虫等の皮膚疾患の予防になるとともに、外布２により外観的には普通の靴下のように見える。外布２及び内布３の夫々挿入口部４を縫着させて内布３を外布２に押込むように内包させることで構成されることにより製造が容易である。
【００２０】
また、靴下１の外布２及び内布３の二重構造の間隙に使い捨てカイロ等を充填するポケット等を設けてもよい。例えば、靴下１の外布２足底部分に切れ込み等、使い捨てカイロ挿入孔を設けておけば、出勤前等に当該ポケット等への使い捨てカイロの出し入れが容易となる。
【００２１】
また、靴下１の踵部５に装着者の踵を包み込むようにゴム等の弾性素材を設けてもよい。これにより、靴下１の装着時に靴下１がずれ下がるのを防止することができるとともに、上記靴下１の二重構造による効果の補助として、靴下１が挿入口部４から踵部５にかけて立体的な筒型状に自立する効果をサポートすることができる。
【産業上の利用可能性】
【００２２】
上記実施例では短靴下を用いて説明したが、ビジネスソックスサイズの靴下１であっても本発明の効果を得ることができる。すなわち、ビジネスソックスサイズの靴下１であっても、サラリーマン等は、靴を履く動作を以って起立した状態のまま本発明に係る靴下１を履くことができる。また、挿入口部４から踵部５にかけて立体的な筒型状に自立して形成されることにより踵の位置がずれることもない。
【００２３】
また、本発明に係る靴下１は、上記実施例とは逆に、外布３を内布２に押込むことで内布３が外布２の全体を覆う袋状に構成ことによりリバーシブルとしての利用も可能である。
【図面の簡単な説明】
【００２４】
【図１】本発明に係る靴下の外観斜視図である。
【図２】当該靴下を展開した図である。
【図３】当該靴下の使用状態を示す図である。
【図４】当該靴下に棒状弾性体を設けた状態を示す図である。
【符号の説明】
【００２５】
１        靴下
２        外布
３        内布
４        挿入口部
５        踵部
６        棒状弾性体
【図１】
2009114563.tif 000003
【図２】
2009114563.tif 000004
【図３】
2009114563.tif 000005
【図４】
2009114563.tif 000006